(57)【要約】【課題】優先席を必要としない利用者へ、優先席を必要とする利用者の存在を通知する優先席利用者通知システム，方法およびプログラムを提供する。【解決手段】優先席６を必要とする利用者Ａは優先席６を利用したいことを伝え、発信機１を受け取る。優先席６を利用したい利用者Ａは優先席６に近づく。受信機２は利用者Ａが所持する発信機１の信号を受信し、振動機３へ信号を送信する。振動機３は受信機２からの信号を受信し、振動する。振動機３が振動することにより、優先席６が振動する。優先席６が振動したことにより、優先席６を利用している利用者Ｂ（発信機１を所持していない）は、優先席６を必要とする人が居ることを認識して席を立つ。発信機１を所持している利用者Ａは、優先席６に着席する。【選択図】　　　図１
2004136703.tif 000002
【特許請求の範囲】
【請求項１】
優先席の利用者の存在を通知する優先席利用者通知システムであって、
優先席を利用したい利用者が所持し信号を発信する発信機と、
前記発信機からの信号を受信して振動する優先席と、
を備える優先席利用者通知システム。
【請求項２】
前記優先席は、前記発信機からの信号を受信する受信機と、席に人が座って居ることを感知する感知機と、席の使用状況を表示する表示機と、前記受信機からの信号と前記感知機からの信号とを受信して席を振動させる振動機と、を備えることを特徴とする請求項１記載の優先席利用者通知システム。
【請求項３】
前記受信機は前記発信機を所持する人が座っている間は発信機からの信号を受信する機能を停止する手段を有することを特徴とする請求項２記載の優先席利用者通知システム。
【請求項４】
前記表示機は、誰も席に座っていないとき或いは発信機を所持しない人が座っているときに点灯し、発信機を所持する人が座っているときに消灯するランプを有することを特徴とする請求項２記載の優先席利用者通知システム。
【請求項５】
優先席の利用者の存在を通知する優先席利用者通知方法であって、
優先席を必要とする利用者はサービス提供者に前記優先席を利用したいことを伝え、
前記サービス提供者は前記利用者に発信機を渡し、
前記利用者が所持する前記発信機は信号を発信し、
優先席は前記発信機の信号を受信して振動し、
前記優先席の着席者は振動を認識して離席し、
前記利用者は前記優先席に着席する、
ことを特徴とする優先席利用者通知方法。
【請求項６】
優先席の利用者の存在を通知する優先席利用者通知方法であって、
優先席を必要とする利用者Ａはサービス提供者に前記優先席を利用したいことを伝え、
前記サービス提供者は前記利用者Ａに発信機を渡し、
前記利用者Ａが所持する前記発信機が信号を発信し、
前記利用者Ａは利用されていて表示機のランプが点灯している優先席に近づき、受信機は発信機からの信号を受信する機能がＯＮであるので前記利用者Ａが所持する発信機の信号を受信して振動機へ信号を送信し、
前記振動機は前記受信機からの信号を受信して振動し、
前記振動機が振動することにより前記優先席が振動し、
前記優先席が振動したことにより前記優先席を利用している利用者Ｂ（発信機を所持していない）は前記優先席を必要とする人が居ることを認識して席を立ち、前記利用者Ａは、前記優先席に着席し、
感知機は前記優先席に前記利用者Ａが着席したことを感知すると共に前記利用者Ａが所持する発信機の信号を受信して前記受信機へ信号を送信し、
前記受信機は前記感知機の信号を受信して発信機からの信号を受信する機能を停止（ＯＦＦ）し、
前記感知機は前記振動機へ信号を送信し、
前記振動機は前記感知機の信号を受信して振動を停止し、
前記感知機は前記表示機へ信号を送信し、
前記表示機は前記感知機の信号を受信してランプを消灯する、
ことを特徴とする優先席利用者通知方法。
【請求項７】
前記利用者Ａは利用されていて表示機のランプが消灯している優先席に近づいたとき、
受信機は発信機からの信号を受信する機能がＯＦＦであるので前記利用者Ａが所持する発信機の信号を受信しない、
ことを特徴とする請求項６記載の優先席利用者通知方法。
【請求項８】
優先席の利用者の存在を通知する優先席利用者通知プログラムであって、
コンピュータに、
受信機が発信機からの信号を受信する機能がＯＮであるときに発信機からの信号を受信して振動機へ信号を送信する機能、
前記振動機が前記受信機からの信号を受信して振動する機能、
感知機が優先席に利用者が着席したことを感知すると共に前記利用者が所持する発信機の信号を受信して前記受信機へ信号を送信する機能、
前記受信機が前記感知機の信号を受信して発信機からの信号を受信する機能を停止（ＯＦＦ）する機能、
前記感知機が前記振動機へ信号を送信する機能、
前記振動機が前記感知機の信号を受信して振動を停止する機能、
前記感知機が前記表示機へ信号を送信する機能、
前記表示機が前記感知機の信号を受信してランプを消灯する機能、
を実現させるための優先席利用者通知プログラム。
【請求項９】
前記受信機が発信機からの信号を受信する機能がＯＦＦであるときは前記利用者が所持する発信機からの信号を受信しない機能、
を実現させるための請求項８記載の優先席利用者通知プログラム。
【発明の詳細な説明】
【０００１】
【発明の属する技術分野】
本発明は、優先席利用者通知システム，方法およびプログラムに関し、特に優先席を利用したい人の存在を優先席着席者に通知する優先席利用者通知システム，方法およびプログラムに関する。
【０００２】
【従来の技術】
バスや電車などの公共の交通機関において、老人や妊産婦等の乗客に対し、優先席を設けている。
【０００３】
従来、優先席の利用は利用者の判断により行われており、優先席の表示がされているにもかかわらず、優先席を利用する必要のない利用者が優先席を利用していることがある。
【０００４】
この状態を改善するための従来技術として、特許文献１には、車輌内座席上方に設置してある荷物載置棚の下面に、スピーカと掲示面をもつ報知装置を取り付け、一定時間間隔で、音声と文字等で「優先席なので、席を譲ってあげてください」のメッセージを流して情報伝達を行うことが記載されている。
【０００５】
【特許文献１】
登録実用新案第３０６１３１５号公報（第４頁、図２、図３）
【０００６】
【発明が解決しようとする課題】
しかしながら、上述した従来の技術では、以下のような問題点があった。
【０００７】
第１の問題点は、優先席を利用する必要のない利用者が優先席を利用している場合に、その利用者から見て、立っている人の中に優先席を使用したい利用者がいることを判断できないということである。
【０００８】
第２の問題点は、優先席を使用したい利用者が優先席を利用している人に声をかけたい場合に、優先席を使用したい利用者から見て、優先席を利用している人が優先席を必要としていないことを判断できないということである。
【０００９】
本発明の目的は、上記の問題点を解決し、優先席を必要としていない利用者へ、優先席を必要としている利用者の存在を通知する優先席利用者通知システム，方法およびプログラムを提供することにある。
【００１０】
【課題を解決するための手段】
本願第１の発明の優先席利用者通知システムは、優先席の利用者の存在を通知する優先席利用者通知システムであって、優先席を利用したい利用者が所持し信号を発信する発信機と、前記発信機からの信号を受信して振動する優先席と、を備える。
【００１１】
本願第２の発明の優先席利用者通知システムは、第１の発明において前記優先席は、前記発信機からの信号を受信する受信機と、席に人が座って居ることを感知する感知機と、席の使用状況を表示する表示機と、前記受信機からの信号と前記感知機からの信号とを受信して席を振動させる振動機と、を備える。
【００１２】
本願第３の発明の優先席利用者通知システムは、第２の発明において前記受信機は前記発信機を所持する人が座っている間は発信機からの信号を受信する機能を停止する手段を有する。
【００１３】
本願第４の発明の優先席利用者通知システムは、第２の発明において前記表示機は、誰も席に座っていないとき或いは発信機を所持しない人が座っているときに点灯し、発信機を所持する人が座っているときに消灯するランプを有する。
【００１４】
本願第５の発明の優先席利用者通知方法は、優先席の利用者の存在を通知する優先席利用者通知方法であって、優先席を必要とする利用者はサービス提供者に前記優先席を利用したいことを伝え、前記サービス提供者は前記利用者に発信機を渡し、前記利用者が所持する前記発信機は信号を発信し、優先席は前記発信機の信号を受信して振動し、前記優先席の着席者は振動を認識して離席し、前記利用者は前記優先席に着席する、ことを特徴とする。
【００１５】
本願第６の発明の優先席利用者通知方法は、優先席の利用者の存在を通知する優先席利用者通知方法であって、優先席を必要とする利用者Ａはサービス提供者に前記優先席を利用したいことを伝え、前記サービス提供者は前記利用者Ａに発信機を渡し、前記利用者Ａが所持する前記発信機が信号を発信し、前記利用者Ａは利用されていて表示機のランプが点灯している優先席に近づき、受信機は発信機からの信号を受信する機能がＯＮであるので前記利用者Ａが所持する発信機の信号を受信して振動機へ信号を送信し、前記振動機は前記受信機からの信号を受信して振動し、前記振動機が振動することにより前記優先席が振動し、前記優先席が振動したことにより前記優先席を利用している利用者Ｂ（発信機を所持していない）は前記優先席を必要とする人が居ることを認識して席を立ち、前記利用者Ａは、前記優先席に着席し、感知機は前記優先席に前記利用者Ａが着席したことを感知すると共に前記利用者Ａが所持する発信機の信号を受信して前記受信機へ信号を送信し、前記受信機は前記感知機の信号を受信して発信機からの信号を受信する機能を停止（ＯＦＦ）し、前記感知機は前記振動機へ信号を送信し、前記振動機は前記感知機の信号を受信して振動を停止し、前記感知機は前記表示機へ信号を送信し、前記表示機は前記感知機の信号を受信してランプを消灯する、ことを特徴とする。
【００１６】
本願第７の発明の優先席利用者通知方法は、第６の発明において前記利用者Ａは利用されていて表示機のランプが消灯している優先席に近づいたとき、受信機は発信機からの信号を受信する機能がＯＦＦであるので前記利用者Ａが所持する発信機の信号を受信しない、ことを特徴とする。
【００１７】
本願第８の発明の優先席利用者通知プログラムは、優先席の利用者の存在を通知する優先席利用者通知プログラムであって、コンピュータに、受信機が発信機からの信号を受信する機能がＯＮであるときに発信機からの信号を受信して振動機へ信号を送信する機能、前記振動機が前記受信機からの信号を受信して振動する機能、感知機が優先席に利用者が着席したことを感知すると共に前記利用者が所持する発信機の信号を受信して前記受信機へ信号を送信する機能、前記受信機が前記感知機の信号を受信して発信機からの信号を受信する機能を停止（ＯＦＦ）する機能、前記感知機が前記振動機へ信号を送信する機能、前記振動機が前記感知機の信号を受信して振動を停止する機能、前記感知機が前記表示機へ信号を送信する機能、前記表示機が前記感知機の信号を受信してランプを消灯する機能、を実現させる。
【００１８】
本願第９の発明の優先席利用者通知プログラムは、第８の発明において前記受信機が発信機からの信号を受信する機能がＯＦＦであるときは前記利用者が所持する発信機からの信号を受信しない機能、を実現させる。
【００１９】
【発明の実施の形態】
本発明は、利用者がサービス提供者に料金を支払い、サービス提供者が座席位置指定のない限られた座席を利用者に提供するバスや電車などのシステムにおいて、特に優先席を必要としていない利用者が優先席を使用している場合に、その利用者へ、優先席を必要としている利用者の存在を通知することを特徴としている。
【００２０】
次に、本発明の実施の形態について、図面を参照して詳細に説明する。
図１は、本発明の実施の形態の構成を示す図である。
【００２１】
図１を参照すると、本発明の実施の形態は、発信機１と、受信機２と、振動機３と、感知機４と、表示機５と、優先席６と、を備えている。
【００２２】
発信機１は、受信機２と感知器４へ信号を発信する機能を有する。発信機１は、利用者がサービス提供者に優先席６を利用したいことを伝えた場合に、サービス提供者から利用者に渡される。また、優先席６の利用者が優先席６の利用を終えて離席したとき、サービス提供者に発信機１を返却する。発信機１を所持することにより、優先席６を利用しようとする人は、優先席６が必要でないのに優先席６に着席している人に対して優先席６に座りたい旨を意思表示することができる。
【００２３】
受信機２は、発信機１と感知機４から信号を受信する機能と、振動機３と表示機５へ信号を送信する機能と、を有する。受信機２は、発信機１を所持する人が優先席６に座ってるとき（優先席６に座るべき人が優先席６に座っているとき）には発信機１からの信号を受信する機能を停止（ＯＦＦ）し、誰も優先席６に座っていないとき或いは発信機１を所持しない人が優先席６に座ってるとき（優先席６に座るべきでない人が優先席６に座っているとき）には発信機１からの信号を受信する機能を開始（ＯＮ）する。
【００２４】
振動機３は、受信機２と感知器４からの信号を受ける機能と、受信機が発信機の信号を受信し感知機が人が座っていることを感知したときに優先席を振動させる振動する機能と、を有する。
【００２５】
感知機４は、発信機１からの信号を受信する機能と、利用者が優先席６を利用していることを感知する（人が席に座っていることを感知する）機能と、発信機１からの信号を受信し優先席６の利用を感知した場合に受信機２と振動機３と表示機５へ信号を送信する機能と、を有する。
【００２６】
表示機５は、受信機２と感知器４から信号を受ける機能と、利用者へ表示をする機能と、を有する。表示機５はランプを有し、ランプは、誰も座っていない場合あるいは発信機１を所持しない人が座っている場合に点灯し、発信機１を所持する人が座っている場合には消灯する。すなわち、ランプは優先席が使用可能な状態にあるか否かを示し、ランプが点灯していることは発信機１を所持する人が座れることを意味する。発信機１を所持する優先席６を利用しようとする人は、ランプが使用可能な状態を示す優先席６に向かえばよい。
【００２７】
優先席６は、振動機３を有する。また、優先席６には、受信機２と感知機４と表示機５とが付属する。優先席６が、複数人掛けの場合には、１人分毎に振動機３と受信機２と感知機４と表示機５とを有する。図５に優先席の例を示す。図５はバス等に設けられている１人掛けの優先席を横から見た図であり、優先席６のシートの下に振動機３と感知機４が置かれ、奥の側壁に受信機２と表示機５が設置されている。
【００２８】
発信機１と受信機２と振動機３と感知機４と表示機５とは、コンピュータ（例えば、マイコン等）を内蔵し、プログラム制御で動作するようにしてもよい。
【００２９】
次に、本発明の実施の形態の動作について、図２〜図４を参照して詳細に説明する。
図２〜図４は、本発明の実施の形態の動作の流れを示す図である。
【００３０】
図２〜図４を用いて、本発明の実施の形態の動作の流れについて説明する。
【００３１】
以下の５つの場合に分けて説明する。
（１）初期動作
（２）優先席６が利用されていないときに、優先席６を必要とする利用者Ａが優先席６を利用する場合
（３）発信機１を所持していない利用者が優先席６を利用しているときに、優先席６を必要とする利用者Ａが優先席６を利用する場合
（４）発信機１を所持している利用者が優先席６を利用しているときに、優先席６を必要とする利用者Ａが優先席６を利用する場合
（５）優先席６を必要とする利用者Ａが、利用していた優先席６から離席する場合
（１）初期動作
先ず、優先席６を必要とする利用者Ａはサービス提供者に優先席６を利用したいことを伝え、サービスの提供者は利用者Ａに発信機１を渡す（ステップ１〜２）。
【００３２】
利用者Ａが所持する発信機１が信号を発信し、優先席６を利用したい利用者Ａは優先席６に近づく（ステップ３〜４）。
【００３３】
（２）優先席６が利用されていないときに、優先席６を必要とする利用者Ａが優先席６を利用する場合。
【００３４】
表示機５は、表示している（ランプが点灯している）。
【００３５】
受信機２は、発信機１からの信号を受信する機能はＯＮである。
【００３６】
優先席６は、利用されていない（ステップ５）
受信機２は、発信機１からの信号を受信する。
【００３７】
発信機１を所持している利用者Ａは、優先席６に着席する（ステップ１１）。
【００３８】
感知機４は、優先席６に利用者Ａが着席したことを感知すると共に利用者Ａが所持する発信機１の信号を受信し、受信機２へ信号を送信する（ステップ１２〜１４）。
【００３９】
受信機２は、感知機４の信号を受信し、発信機１から信号を受信する機能を停止（ＯＦＦ）する（ステップ１５）。
【００４０】
感知機４は振動機３へ信号を送信し、振動機３は感知機４の信号を受信する。この場合、振動機３は振動していないので、振動機３は何もしない（ステップ１６〜１７）。
【００４１】
感知機４は、表示機５へ信号を送信する（ステップ１９）。
【００４２】
表示機５は、感知機４の信号を受信し、表示を停止してランプを消灯する（ステップ２０）。
【００４３】
（３）発信機１を所持していない利用者が優先席６を利用しているときに、優先席６を必要とする利用者Ａが優先席６を利用する場合。
【００４４】
表示機５は、表示している（ランプが点灯している）。
【００４５】
優先席６は、利用されている（ステップ５）
受信機２が発信機１からの信号を受信する機能はＯＮである（ステップ６）。
【００４６】
受信機２は、利用者Ａが所持する発信機１の信号を受信し、振動機３へ信号を送信する（ステップ７〜８）。
【００４７】
振動機３は、受信機２からの信号を受信して振動する（ステップ９）。
【００４８】
振動機３が振動することにより、優先席６が振動する（ステップ１０）。
【００４９】
優先席６が振動したことにより、優先席６を利用している利用者Ｂ（発信機１を所持していない）は、優先席６を必要とする人が居ることを認識して席を立つ。
【００５０】
発信機１を所持している利用者Ａは、優先席６に着席する（ステップ１１）。
【００５１】
感知機４は優先席６に利用者Ａが着席したことを感知すると共に利用者Ａが所持する発信機１の信号を受信し、受信機２へ信号を送信する（ステップ１２〜１４）。
【００５２】
受信機２は、感知機４の信号を受信し、発信機１からの信号を受信する機能を停止（ＯＦＦ）する（ステップ１５）。
【００５３】
感知機４は、振動機３へ信号を送信する（ステップ１６）。
【００５４】
振動機３は、感知機４の信号を受信して振動を停止する（ステップ１７〜１８）。
【００５５】
感知機４は、表示機５へ信号を送信する（ステップ１９）。
【００５６】
表示機５は、感知機４の信号を受信し、表示を停止する（ステップ２０）。
【００５７】
このように、優先席６に発信機１を所持していない利用者が着席していた場合、受信機２と感知機４が優先席６を必要とする利用者が所持している発信機１からの信号を感知して、振動機３が優先席６を振動させて、発信機１を所持していない優先席６の利用者に、優先席６を必要としている利用者の存在を知らせる。優先席６を必要としている利用者が着席すると、表示機５はランプを消灯して、優先席６を必要としている人が座っていることを表示する。
【００５８】
（４）発信機１を所持している利用者が優先席６を利用しているときに、優先席６を必要とする利用者Ａが優先席６を利用する場合。
【００５９】
表示機５は、表示していない（ランプが消灯している）。
【００６０】
優先席６は、利用されている（ステップ５）。
【００６１】
受信機２は、発信機１からの信号を受信する機能を停止（ＯＦＦ）している（ステップ６）。
【００６２】
利用者Ａは、この優先席６を利用できない。
【００６３】
この場合、優先席６には座るべき人が座っているので、利用者Ａはこの優先席６には座ることができない。他の優先席６に誰も座っていなければ或いは他の優先席６に発信機１を所持していない利用者が座っていれば、利用者Ａは他の優先席６に座ることができる。
【００６４】
（５）優先席６を必要とする利用者Ａが、利用していた優先席６から離席する場合。
【００６５】
発信機１を所持している利用者Ａが、優先席６から離席する（ステップ２１）。
【００６６】
感知機４は、利用者Ａの離席を感知し、受信機２へ信号を送信する（ステップ２２〜２３）。
【００６７】
受信機２は、感知機４の信号を受信し、受信機２が発信機１から信号を受信する機能を開始（ＯＮ）する（ステップ２４）。
【００６８】
感知機４は、表示機５へ信号を送信する（ステップ２５）。
【００６９】
表示機５は、感知機４の信号を受信し、表示を開始してランプを点灯する（ステップ２６）。
【００７０】
優先席６を利用した利用者Ａは、サービスの提供者に発信機１を返却する。
【００７１】
以上説明したように、優先席を振動させることにより、優先席を利用する必要のない利用者が優先席を利用している場合に、その利用者は、立っている人の中に優先席を使用したい利用者がいることを判断することができる。また、表示機の表示により、優先席を使用したい利用者は、優先席に着席している人が優先席を必要としていないことを判断することができる。
【００７２】
本発明による上述した実施の形態において、優先席利用者通知システムの処理動作を実行するためのプログラム等を、データとしてコンピュータの磁気ディスクや光ディスク等の記録媒体（図示せず）に記録するようにし、記録されたデータを読み出して優先席利用者通知システムを動作させるために用いる。このように、本発明による優先席利用者通知システムを動作させるデータを記録媒体に記録させ、この記録媒体をインストールすることにより優先席利用者通知システムの機能が実現できるようになる。
【００７３】
次に、本発明の他の実施の形態について、説明する。
【００７４】
上述の実施の形態では、交通機関の乗車券とは別に発信機を渡しているが、他の実施の形態として、発信機をサービスを利用するために必要な金券に含める（例えば、プリペードカード等に発信機を埋め込む）。優先席を必要とする利用者は、サービス提供者から金券を受け取る際に優先席を必要とすることをサービス提供者に伝えて、発信機を含む金券を受け取る。または、優先席を必要とする利用者が、サービス提供者が有する自動券売機の優先席ボタンを押すことなどにて、発信機１を含む金券６を受け取る。発信機を含む金券を受け取った後の動作は、上述の実施の形態の動作の説明と同一である。これにより、サービス提供者は優先席を必要とする利用者へ発信機と金券を同時に渡すことができる。なお、この場合、優先席を利用しない利用者のために発信機を含めない金券が存在する。
【００７５】
また、上述の実施の形態では、振動機３により優先席６を振動させることで、発信機１を所持している（優先席６を必要とする）利用者Ａが存在することを、発信機１を所持していない着席者に通知しているが、他の実施の形態として、振動機３により優先席６を振動させる替わりに、表示機５のランプを点滅させて着席者に通知するようにしてもよい。
【００７６】
また、上述の実施の形態では、振動機３により優先席６を振動させることで、発信機１を所持している（優先席６を必要とする）利用者Ａが存在することを、発信機１を所持していない着席者に通知しているが、他の実施の形態として、振動機３により優先席６を振動させる替わりに、表示機５に設けた液晶表示部に「お席を必要とする人が居ます。席をお譲り下さい」等のメッセージを表示して着席者に通知するようにしてもよい。
【００７７】
また、上述の実施の形態では、振動機３により優先席６を振動させることで、発信機１を所持している（優先席６を必要とする）利用者Ａが存在することを、発信機１を所持していない着席者に通知しているが、他の実施の形態として、振動機３により優先席６を振動させる替わりに、表示機５に設けた音声出力部から「お席を必要とする人が居ます。席をお譲り下さい」等のメッセージを出力して着席者に通知するようにしてもよい。
【００７８】
【発明の効果】
本発明の効果は、優先席を必要としないのに優先席を利用している利用者が、優先席を必要とする利用者の存在を確認して、優先席を必要とする利用者へ座席を譲ることができることである。
【００７９】
その理由は、優先席を必要とする利用者が所持する発信機の信号を受信機で受信して優先席を振動させ、着席者に通知する手段を設けたからである。
【図面の簡単な説明】
【図１】本発明の実施の形態の構成を示す図
【図２】本発明の実施の形態の動作の流れを示す図
【図３】本発明の実施の形態の動作の流れを示す図
【図４】本発明の実施の形態の動作の流れを示す図
【図５】優先席を例を示す図
【符号の説明】
１　　発信機
２　　受信機
３　　振動機
４　　感知機
５　　表示機
６　　優先席
【図１】
2004136703.tif 000003
【図２】
2004136703.tif 000004
【図３】
2004136703.tif 000005
【図４】
2004136703.tif 000006
【図５】
2004136703.tif 000007